(57)【要約】【課題】従来のＩＣカードリーダのカードのロックレバー機構には、アーム部５６ａとカードをロックするカードロック部５６ｂと一体構造にしたロックレバー５６が配設されており、カード読み書き中に装置の故障や停電が発生した時に、カードロック部が解除されないため、強制的にカードを抜き取ることができない。【解決手段】挿入されたカードの抜き取りを抑制するロックレバー６はアーム部６ａとカード挿入方向に付勢してカードの抜き取りを抑制する弾性体１３であるカードロック部１３ｂとを設けている。弾性体１３のカード挿入方向奥側に作用する付勢力を上回る引き抜き力を加えることでカードが取り出せる機構を提供する。【選択図】  図１
2004318229.tif 000002
【特許請求の範囲】
【請求項１】
ハウジングと、カード挿入口と、挿入されたカードをロックするロックレバーとを備え、前記ロックレバーは、ロックレバー本体と、前記ロックレバー本体の前記カード挿入口側に設けられ、前記カードの挿入方向に付勢する弾性体とを有するカードリーダ。
【請求項２】
ハウジングと、カード挿入口と、挿入されたカードをロックするロックレバーとを備え、前記ロックレバーは、ロックレバー本体と、前記ロックレバー本体の前記カード挿入口側に設けられ、前記カードの挿入方向に付勢してカードの抜き取りを抑制する弾性体とを有するカードリーダ。
【請求項３】
挿入されたカードに対して、弾性体による付勢に反する方向に所定の引っ張り力を加えることで、前記カードのロックを解除して前記カードの抜き取りが可能となる請求項１記載のカードリーダ。
【請求項４】
弾性体はねじりバネである請求項１から２のいずれかに記載のカードリーダ。
【請求項５】
弾性体は板バネである請求項１から２のいずれかに記載のカードリーダ。
【請求項６】
弾性体はゴム部材である請求項１から２のいずれかに記載のカードリーダ。
【請求項７】
ハウジングと、カード挿入口と、挿入されたカードの抜き取りを抑制するロックレバーとを備え、前記ロックレバーの先端には、ロックレバー本体と、前記ロックレバー本体の前記カード挿入口側に設けられた回転軸に組み込まれて前記ロックレバーに対して回動可能な板材と前記板材に付勢する弾性体とを有するカードリーダ。
【請求項８】
挿入されたカードに対して、ロック部材に付勢する弾性体に反する方向に所定の引っ張り力を加えることで、ロック部材によるロックを解除して前記カードの抜き取りが可能となる請求項６記載のカードリーダ。
【請求項９】
弾性体は引っ張りバネである請求項６または７記載のカードリーダ。
【請求項１０】
ハウジングと、カード挿入口と、挿入されたカードの抜き取りを抑制するロックレバーとを備え、前記ロックレバーは、ロックレバー本体と、前記ロックレバー本体の前記カード挿入口側に設けられたロック部とを有し、挿入されたカードに対して前記カードの取り出し側に力を加えることで前記ロック部が破壊してロックが解除し、前記カードの取り出しが可能となるカードリーダ。
【請求項１１】
ロック部は樹脂からなる請求項９記載のカードリーダ。
【発明の詳細な説明】
【０００１】
【発明の属する技術分野】
本発明はＩＣカードや磁気カ−ドを内部に取り込み、これらのカ−ドの情報の読取や情報のカードへの書込を行うＩＣカードリーダに関するものである。
【０００２】
【従来の技術】
近年、ＩＣカ−ドや磁気カ−ドの利用分野が拡大してきており、オペレータがいない半屋外に設置された自販機等の装置にＩＣカードリーダが組み込まれるケ−スが増えてきている。それに伴い、一般顧客が装置に組み込まれたＩＣカードリーダを操作中に停電および故障等により装置がシステムダウンした時、ＩＣカードリーダ内では、カードのロックが解除されず、カードが取り出せない問題がある。従来、このカ−ドロック機構は特許文献１に記載されたものが知られている。以下、この従来技術について図１０を参照してする。
【０００３】
図において、１５はカ−ド、５１はカ−ド挿入口、５２はカ−ドリ−ダ本体、５３はＩＣ接点部、５６はロックレバ−、５７はハウジング、５８はクランク歯車、５８ａはクランク歯車と一体化した偏芯軸、５９はピニオン歯車、６０は回転体、６２はモ−タである。
以上のように構成されたＩＣカ−ドリ−ダのロックレバ−機構について、その動作を説明する。カード挿入口５１よりカードリーダ本体５２の内部へカ−ド１５を挿入すると、カード１５と連動して移動するＩＣ接点部５３がカ−ドと共に後方に移動する。ＩＣ接点部５３で情報の読み取り・書き込みが行われる位置（カードリーダ本体部５２の後方カ−ドストップ位置）まで移動すると、ＩＣ接点部５３との対向面側から回転体６０が回動してカ−ド１５をＩＣ接点側に押し付ける。同時にＩＣ接点部５３に設置しているカ−ド検出センサー５５がカ−ド挿入を検知して、モ−タ６２を回転させる。モータ軸に圧入しているピニオン歯車５９に噛み合わせているクランク歯車５８とクランク歯車と一体成形した偏心軸５８ａが回動してロックレバー５６を斜め下方に移動させてカ−ド１５の後端をロックする。その後ＩＣカ−ドリ−ダを搭載した装置とカ−ド１５間で情報の授受が行われる。そして、カ−ドの処理完了後にロックレバ−５６が上方向に回動してカ−ド１５のロック状態を解除して、カ−ド１５が挿入口側に抜き取られる。
なお、ロックレバー５６はアーム部５６ａとカード１５をロックするカ−ドロック部５６ｂとは一体構造になっている。
【０００４】
【特許文献１】
特開２０００−２５９７７７号公報
【０００５】
【発明が解決しようとする課題】
このようなカ−ドロック機構を持つ従来のＩＣカードリーダでは、カ−ド１５をＩＣカ−ドリ−ダ内に挿入すると、モータ６２の回転によりモータ軸に連動しているクランク歯車５８及び一体成形した偏芯軸５８ａが回動し、連結しているロックレバー５６（アーム部５６ａとカ−ドロック部５６ｂは一体となっているため）が下方向に移動してカード１５にロックが掛かる。しかしながら、カ−ドロック後の情報の読み書き中に、システムの故障や停電が発生するとカ−ドロックがかかったままになり、カ−ド１５が取り出せないことになる。
ところで、使用される分野（屋外に設置されて無人で稼働する自販機分野等）によってはカードロック機能を有しながらカ−ドロック機構が作動しないトラブルが発生した場合、カードを引き出す機能が必要とされている。本発明は、上記課題を解決するもので、ロックレバーのカード挿入口側に設けられたカ−ドロック部がカードの挿入方向に付勢してカード抜き取りを抑制する弾性体を有するカ−ドロック機構を搭載したＩＣカ−ドリ−ダを提供することを目的とする。
【０００６】
【課題を解決するための手段】
本発明のロックレバ−機構は上記課題を解決するために、
本発明の第１のＩＣカ−ドリ−ダは、ハウジングと、カード挿入口と、挿入されたカードの抜き取りを抑制するロックレバーとを備え、前記ロックレバーは、ロックレバー本体部（以後ア―ム部という）と、前記ア−ム部の前記カード挿入口１側に設けられ、前記カードの挿入方向に付勢してカードの抜き取りを抑制する弾性体とを備えるものである
また、本発明の第２のＩＣカ−ドリ−ダは、カードに対して、前記カードの抜き取りを抑制するロックレバーと前記ロックレバーを駆動するロックレバー駆動手段とを備え、弾性体による付勢に反する方向に所定の引っ張り力を加えることで、挿入されたカードの抜き取りを抑制するロックレバー駆動手段を解除して前記カードの抜き取りが可能となるものである。
また、本発明の第３のＩＣカ−ドリ−ダは、カードの挿入方向に付勢してカードの抜き取りを抑制する弾性体にねじりバネを備えるものである。
また、本発明の第４のＩＣカ−ドリ−ダは、カードの挿入方向に付勢してカードの抜き取りを抑制する弾性体に板バネを備えるものである。
また、本発明の第５のＩＣカ−ドリ−ダは、カードの挿入方向に付勢してカードの抜き取りを抑制する弾性体にゴム部材を備えるものである。
また、本発明の第６のＩＣカ−ドリ−ダは、ハウジングと、カード挿入口と、挿入されたカードの抜き取りを抑制するロックレバーとを備え、前記ロックレバーの先端には、ア−ム部と、前記ア−ム部の前記カード挿入口側に設けられた回転軸に組み込まれて前記ロックレバーに対して回動可能な板材と前記板材に付勢する弾性体とを備えるものである。
また、本発明の第７のＩＣカ−ドリ−ダは、挿入されたカードに対して、板材に付勢する弾性体に反する方向に所定の引っ張り力を加えることで、板材によるロックを解除するものである。
また、本発明の第８のＩＣカ−ドリ−ダは、カードの挿入方向に付勢してカードの抜き取りを抑制する弾性体に引っ張りバネを備えるものである。
また、本発明の第９のＩＣカ−ドリ−ダは、ハウジングと、カード挿入口と、挿入されたカードの抜き取りを抑制するロックレバーとを備え、前記ロックレバーは、ア−ム部と、前記ア−ム部の前記カード挿入口側に設けられたロック部材を備え、挿入されたカードに対して前記カードの取り出し側に力を加えることで前記ロック部材を破壊してロックが解除するものである。
また、本発明の第１０のＩＣカ−ドリ−ダは、カード挿入口側に設けられたロック部材は樹脂からなるものである。
【０００７】
【発明の実施の形態】
（実施の形態１）
以下、本発明の実施の形態１について図１から図６を参照して説明する。図において、１５はカ−ド、１はカ−ド挿入口、２はカ−ドリ−ダ本体、３はＩＣ接点部、６はロックレバ−、６ａはア−ム部、６ｂはガイド軸取付穴、６ｃはバネ掛け部（作動側）、６ｄはバネ掛け部（固定側）、７はハウジング、８はクランク歯車、８ａはクランク歯車と一体化した偏芯軸、９はピニオン歯車、１０は回転体、１２はモ−タ、１３はロック部付勢バネ（弾性体）、１６付勢バネガイド軸、１７は板バネ、１８はゴム部材である。
以上のように構成されたＩＣカ−ドリ−ダのロックレバ−機構について、その動作を説明する。
【０００８】
カード挿入口１よりカードリーダ本体２の内部へカ−ド１５を挿入すると、カード１５と連動して移動するＩＣ接点部３がカ−ド１５と共に後方に移動する。
ＩＣ接点部３が情報の読み取り・書き込みが行われる位置（カードリーダ本体２の後方カ−ドストップ位置）まで移動すると、ＩＣ接点部３との対向面側から回転体１０が回動してカ−ド１５をＩＣ接点側に押し付ける。同時にＩＣ接点部３に設置しているカ−ド検出センサー５がカ−ド挿入を検知して、モ−タ１２を回転させる。モータ軸に圧入しているピニオン歯車９に噛み合わせているクランク歯車８とクランク歯車と一体成形した偏心軸８ａが回動してロックレバー６を斜め下方に移動させてカ−ド１５の後端をロックする。その後ＩＣカ−ドリ−ダを搭載した装置とカ−ド１５間で情報の授受が行われる（図１）。
【０００９】
そして、カ−ドの処理完了後にロックレバ−６を上方向に回動して、カ−ド１５のロック状態を解除して、カ−ド１５が挿入口側に抜き取られる
次に、カ−ド１５の処理中やカ−ド処理完了後になんらかのシステムトラブルが発生したり、ロックレバ−６の駆動機構が故障したり、停電した場合等にロックされたカードをどのように取り出すかを説明する。
本実施の形態では、ロックレバ−６の先端のロック部に弾性体１３（以後付勢バネという）を設け、挿入口１方向にカ−ド１５を引き抜くとき付勢バネ１３の腕部１３ｂに所定の力をかけると腕部１３ｂがカ−ド挿入口１側に変形して付勢バネ１３の腕部頂点１３ａとカ−ド挿入面との間にカ−ド１５が抜き取れる隙間ができるようにした。
【００１０】
まず、ロックレバ−のア―ム部６ａの先端に配設した付勢バネ１３部の構成について図２、図３、図４を用いて説明する。本実施の形態のロックレバ−のア−ム部６ａ先端部にには従来の技術の欄で説明したロックレバーが有していたロック部を設けていない。代わりに、付勢バネ用ガイド軸取付穴６ｂを設け、その近傍に付勢バネの端子部のバネ掛け部６ｃ、６ｄを設けている（図２）。
【００１１】
次に、ア―ム部６ａのガイド軸取付穴６ｂにガイド軸１６と付勢バネ１３を取り付ける。バネ掛け部６ｃに当接している前記付勢バネ１３の下方向に伸びた腕部１３ｂがロック部の役目を果す（図４）。
この構成によりカ−ド１５をカ−ドリ−ダ本体２の奥側に挿入したとき、ロックレバ−６が作動すると付勢バネの腕部１３ｂによりカ−ドロックが掛かる（図３（Ａ））。
【００１２】
このときになんらかのトラブルが発生して、カ−ドロック解除ができない場合は、カ−ドを無理やり引き抜く手段を取らざるをえない。
カ−ド挿入口１の方向にカ−ド１５を抜き取るとき、一例として付勢バネ１３のカ−ドリ−ダ本体２奥側方向に作用する付勢力を上回る引き抜き力を加えると付勢バネの腕部１３ｂが挿入口１側に撓み始め、付勢バネの腕部頂点１３ａとカ−ド挿入面との間にカ−ドが通る隙間ができることによりカ−ド１５を抜き取ることが可能となる  （図３（Ｂ））。
【００１３】
そして、付勢バネの腕部頂点１３ａがカ−ド１５上を通過する場合は付勢バネの腕部頂点１３ａはカ−ドの上面に接触し、カ−ド１５を抜き去るともとのロック状態の位置にもどる（図３（Ｃ））。
なお、付勢バネの腕部頂点１３ａはカ−ド１５を引き抜くときカ−ド１５が傷つかないよう略Ｖ字形状にしている。
以上のように、本実施の形態によれば、カ−ド１５をＩＣカ−ドリ−ダ内に挿入したままカ−ドロック機構がトラブルのため作動できなくなっても、カ−ド１５を所定の引き抜き力で引き抜くことにより、ロックを解除して、カ−ド１５を抜き取ることが可能となる。
【００１４】
（実施の形態２）
本発明の実施の形態２について図５を用いて説明する。本実施の形態において実施の形態１と同様の構成については同一の番号を付して説明を省略する。実施の形態１と異なるのは、ロック部に使用する部材が付勢バネ１３の代わりに板バネ１７を設けた点である。
以上のように構成されたロックレバ−機構において、その動作を説明する。板バネ１７の形状はア−ム６ａの先端付近で逆Ｕ字型に上方向に曲がり先端はカ−ドロックの掛かる位置まで伸びている。他端はア−ム６ａにリベット２５で固定されている。
板バネ１７の先端はカ−ドリ−ダの本体２奥側方向に向いて傾いているが、ストッパ−となるア−ムの先端端面６ｅ（カ−ドの挿入方向に対して直角な面）に取り付ける際カ−ド挿入口１側に押し広げることにより、板バネの付勢力が加わるように当接している。ア−ム先端端面６ｅより下側にでている板バネの先端部１７ａがカ−ドロック部の役目を果す（図５）。
この構成によりカ−ド１５をカ−ドリ−ダ本体２の奥側に挿入したとき、ロックレバ−６が作動することにより板バネ先端部１７ａによりカ−ドロックが掛かる。
【００１５】
このときになんらかのトラブルが発生して、カ−ドロック解除ができない場合は、カ−ドを無理やり引き抜く手段を取らざるをえない。
カ−ド挿入口１の方向にカ−ド１５を抜き取るとき、板バネ１７のカ−ドリ−ダの本体２奥側方向に作用する付勢力を上回る引き抜き力を加えると板バネの先端部１７ａが挿入口側に撓み始め、板バネ先端部の頂点１７ａと本体ケ−ス底面との間にカ−ドが通る隙間ができることによりカ−ドを抜き取ることが可能となる。
なお、板バネ１７の先端部で逆Ｕ字形状にしたが、逆Ｕ字形状をなくした略Ｌ字形状にしてもよい。
【００１６】
以上のように本実施の形態によればカ−ドをＩＣカ−ドリ−ダ内に挿入したままロック機構がトラブルのため作動できなくなっても、カ−ド１５をある一定以上の引き抜き力で引き抜くことにより、板バネ１７によるロックを解除して、カ−ド１５を抜き取ることができる。
【００１７】
なお、板バネ１７のかわりにゴム部材１８をア−ム６ａの先端にアウトサ−ト成形して、ロック部形状１８ａを作成してカ−ドロックに使用してもよい。（図６（Ａ））。また、ア−ム部とロック部の中間の先端形状をジグザグ状にしてバネ性を持たせ、所定の引き抜き力を加えることで、上側に曲がるようにしてもよい。（図６（Ｂ））。
【００１８】
（実施の形態３）
本発明の実施の形態３について図７、図８を用いて説明する。本実施の形態において実施の形態１と同様の構成については同一の番号を付して説明を省略する。
実施の形態１と異なるのは、カ−ドロック部に板材１９を使用し、板材１９に戻しバネ２０を付勢した点である。
【００１９】
以上のように構成されたカ−ドロック機構において、その動作を説明する。
ロックレバ−のア−ム６ａの挿入口側先端部にはカ−ド１５をロックするカ−ドロック部を設けていない。代わりに、ロック部材の役割をする板材１９のガイド軸２３の取付穴（図示せず）を設け、その近傍に戻しバネ２０の腕部のバネ掛け部６ｆ、６ｇを配設している。
【００２０】
次に、ガイド軸２３に板材１９と戻しバネ２０を挿入してア―ム６ａのガイド軸穴に通して、ガイド軸２３を固定する。戻しバネ２０の下方向に伸びた腕部２０ａが板材１９に掛かり、板材１９をカ−ドリ−ダ−奥側に付勢している。そのため板材１９はバネ掛け部６ｆに所定の付勢力で当接している（図７）。
この構成によりカ−ドをカ−ドリ−ダ本体２の奥側に挿入したとき、ロックレバ−６が作動することによりア−ム６の先端に配接した板材１９によりカ−ドロックが掛かる。
【００２１】
このときになんらかのトラブルが発生して、カ−ドロック解除ができない場合は、カ−ド１５を無理やり引き抜く手法を取らざるをえない。カ−ド挿入口１の方向にカ−ドを抜き取るとき、戻しバネ２０のカ−ドリ−ダの本体２奥側方向に作用する付勢力を上回る引き抜き力を加えると板材１９が挿入口１側に回転して、板材１９の底面先端１９ａと本体ケ−ス底面との間にカ−ドが通る隙間ができることによりカ−ドを抜き取ることが可能となる。そして、板材の底面先端１９ａがカ−ド上を通過する場合は板材１９の底面先端１９ａはカ−ド１５の上面に接触し、カ−ド１５を抜き去るともとのロック状態の位置にもどる。
【００２２】
なお、板材１９に付勢力を与える戻しバネ２０の代わりに、板材にバネ掛け部１９を設けとア−ム６のバネ掛け部６ｇ間に引っ張りバネ２１を使用してもよい。この場合は、板材１９に突起部１９ｂを設け、この突起部１９ｂとバネ掛け部６ｇとの間に引っ張りバネ２１をかけることになる。引っ張りバネ２１を使用することにより、スペ−スのロスはあるが、戻しバネ２０より強い付勢力や耐久性を得ることができる（図８）。
【００２３】
以上のように、本実施の形態によれば、カ−ドをＩＣカ−ドリ−ダ内に挿入したままロック機構がトラブルのため作動できなくなっても、カ−ドをある一定以上の引き抜き力で引き抜くことにより、ロックを解除して、カ−ドを抜き取ることが可能となる。
【００２４】
また、板材１９を使用することにより本考案の実施の形態１に比べロック部の高さや傾き等を正確な寸法で製作することができる。
【００２５】
（実施の形態４）
本発明の実施の形態４について図９を参照して説明する。本実施の形態において実施の形態１と同様の構成については同一の番号を付して説明を省略する。実施の形態１と異なるのは、ロックレバ−のロック部を別部材で作成し、ある一定以上の力で引き抜くとカ−ドロック部が破壊する点である。
以上のように構成されたロックレバ−機構において、その動作を説明する。
ロックレバ−のア−ム部６ａの先端部には、カ−ド１５をロックするロック部を別部材で配設している。ロック部材２４の下端近くのカ−ド通過位置より高い部分に切り欠き２４ａを設けている（図９）。
この構成によりカ−ド１５をカ−ドリ−ダ本体２の奥側に挿入したとき、ロックレバ−６が作動することによりア−ム部６の先端に配接したロック部材２４によりカ−ドロックが掛かる。
【００２６】
このときになんらかのトラブルが発生して、カ−ドロック解除ができない場合は、カ−ドを無理やり引き抜く手段を取らざるをえない。
カ−ド挿入口１の方向にカ−ド１５を抜き取るとき、ある所定のカ−ド引き抜き力をロック部材２４に加えると、カ−ド通過位置より高い部分の切り欠き２４ａが破断することによりカ−ド１５の抜き取りが可能となる。
ただし、カ−ド１５を抜き去るともとのロック部材２４は破壊されるためロックレバ−の交換が必要となる。
【００２７】
また、ロック部材２４を樹脂で製作することにより、切り欠き部２４ａよりクラックが入り、破断する。破断するためロックレバ−は新品と交換しなければならないが、部品のコストは安くすることができる。なお、ロック部はネジ止めにしてもよい。
【００２８】
以上、本発明の実施の形態によればカ−ドロック機構を搭載したＩＣカ−ドリ−ダにおいて、カ−ドを挿入して情報処理を済ます間に何らかのトラブルが発生したとき、カ−ドロックが作動したままで、カ−ドが取り出せないという問題をロックレバ−機構のロック部に弾性体を追加することで正常作動時には一定のカ−ドロック力をもたせながら、トラブル時には一定力以上の引き抜き力でカ−ドロックを解除し、ＩＣカ−ドリ−ダ内のカ−ドを抜き取ることが可能となる。
【００２９】
【発明の効果】
以上のように、本発明は、カ−ドロック機構を搭載したＩＣカ−ドリ−ダにおいて、カ−ドを挿入して情報処理を済ます間に何らかのトラブルが発生したとき、でもカ−ドリ−ダ内のカ−ドを抜き取ることが可能となる。
【図面の簡単な説明】
【図１】本発明の実施の形態１を示すのロックレバ−機構を搭載したＩＣカ−ドリ−ダを示す図
（Ａ）カ−ドロック状態のＩＣカ−ドリ−ダの概略正面図。
（Ｂ）カ−ドロック状態のＩＣカ−ドリ−ダの概略側面断面図
（Ｃ）カ−ドロック部の拡大図
【図２】本発明の実施の形態１のカ−ドロック機構を示す分解斜視図
【図３】本発明の実施の形態１のカ−ドロック機構の動作説明のための側面図
（Ａ）カ−ドがロックされている場合の側面図
（Ｂ）カ−ドがロックされる付勢力に抗して抜き取られる直前の側面図
（Ｃ）カ−ドロックが外れてカ−ドを取り出している状態の側面図
【図４】本発明の実施の形態１のカ−ドロック部先端を示す斜視図
【図５】本発明の実施の形態２のカ−ドロック部先端を示す斜視図
【図６】本発明の実施の形態２のカ−ドロック部先端を示す側面図
（Ａ）ロック部先端にゴムを用いた場合の側面図
（Ｂ）アーム部とロック部との間にジグザグ形状部を設けた場合の側面図
【図７】本発明の実施の形態３の戻しバネを用いた場合のカ−ドロック部先端を示す斜視図
【図８】本発明の実施の形態３の引っ張りバネを用いた場合のカ−ドロック部先端を示す斜視図
【図９】本発明の実施の形態４のカ−ドロック部先端斜視図
【図１０】従来のロックレバ−機構を搭載したＩＣカ−ドリ−ダの説明図
（Ａ）カ−ドロック状態のＩＣカ−ドリ−ダの概略正面図
（Ｂ）カ−ドロック状態のＩＣカ−ドリ−ダの概略側面断面図
（Ｃ）カ−ドロック部の拡大図
【符号の説明】
１  カード挿入口
２  カードリーダ本体
３  ＩＣ接点部
４  カ−ドガイド部
５  カ−ド検出センサ
６  ロックレバ−
６ａ  ロックレバ−本体部（ア―ム部）
６ｂ  ガイド軸取付穴
６ｃ  バネ掛け部（作動側）
６ｄ  バネ掛け部（固定側）
６ｅ  ア―ムの先端端面
６ｆ  バネ掛け部（作動側）
６ｇ  バネ掛け部（固定側）
７  ハウジング
８  クランク歯車
８ａ  偏芯軸
９  ピニオン歯車
１０  回転体
１１  ロックレバーバネ
１２  モータ
１３  弾性体（付勢バネ）
１３ａ  付勢バネの腕部頂点
１３ｂ  腕部（作動側）
１３ｃ  腕部（固定側）
１５  カ−ド
１６  ガイド軸
１７  板バネ
１７ａ  板バネ先端部
１８  ゴム部材
１９  板材
１９ａ  板材の先端部
２０  戻しバネ
２０ａ  腕部（作動側）
２１  引っ張りバネ
２２  ロック部
２３  ガイド軸
２４  ロック部材
２４ａ  ロック部材の切り欠き
５１  カード挿入口
５２  カードリーダ本体
５３  ＩＣ接点部
５４  カ−ドガイド部
５５  カ−ド検出センサ
５６  ロックレバ−
５６ａ  ア−ム部
５６ｂ  カ−ドロック部
５７  ハウジング
５８  クランク歯車
５８ａ  偏芯軸
５９  ピニオン歯車
６０  回転体
６１  ロックレバーバネ
【図１】
2004318229.tif 000003
【図２】
2004318229.tif 000004
【図３】
2004318229.tif 000005
【図４】
2004318229.tif 000006
【図５】
2004318229.tif 000007
【図６】
2004318229.tif 000008
【図７】
2004318229.tif 000009
【図８】
2004318229.tif 000010
【図９】
2004318229.tif 000011
【図１０】
2004318229.tif 000012